(57)【要約】【課題】カメラモジュールを簡単に着脱できるカメラモジュール装置を提供する。【解決手段】本発明のカメラモジュール装置１００は、カメラモジュール１およびソケット２を相対的に回転させて突起部１１をガイド２１に沿って移動させることにより、カメラモジュール１がソケット２に装着される。カメラモジュール１の装着状態では、カメラモジュール１およびソケット２の各々に形成された端子が互いに接触する。【選択図】図１
2010098449.tif 000002
【特許請求の範囲】
【請求項１】
カメラモジュールと、カメラモジュールが内部に挿入されるソケットとを備え、カメラモジュールおよびソケットを相対的に回転させることによって、カメラモジュールがソケットに装着されるカメラモジュール装置であって、
上記カメラモジュールは、外側面に少なくとも１つの突起部を備え、
上記ソケットには、上記突起部の移動経路となり、上記カメラモジュールを装着位置まで導くガイドが形成されており、
上記ガイドは、上記カメラモジュールの挿入側の端部から、上記ソケットの深さ方向に形成された後、カメラモジュールの回転方向に曲がって形成されており、
少なくとも上記突起部がガイドの終端部に達したときに、カメラモジュールおよびソケットのそれぞれに形成された端子が、互いに接触するようになっていることを特徴とするカメラモジュール装置。
【請求項２】
上記突起部は、上記ガイドの終端部に係止されることを特徴とする請求項１に記載のカメラモジュール装置。
【請求項３】
上記ソケットに形成された端子が、弾性を有しており、上記ガイドの終端部では、カメラモジュールをソケットから離反させる方向に付勢することを特徴とする請求項１または２に記載のカメラモジュール装置。
【請求項４】
上記突起部がガイドの途中から終端部に達するまで、上記カメラモジュールおよびソケットのそれぞれに形成された端子が、互いに接触するようになっていることを特徴とする請求項３に記載のカメラモジュール装置。
【請求項５】
上記ガイドは、カメラモジュールの回転方向に形成された部分が、ソケットの底面方向に傾斜していることを特徴とする請求項３または４に記載のカメラモジュール装置。
【請求項６】
上記突起部は、複数形成されており、かつ、カメラモジュールの外側面に非対称に形成されていることを特徴とする請求項１〜５のいずれか１項に記載のカメラモジュール装置。
【請求項７】
上記突起部は、複数形成されており、かつ、カメラモジュールの外側面の同じ高さに形成されていることを特徴とする請求項１〜５のいずれか１項に記載のカメラモジュール装置。
【請求項８】
請求項１〜７のいずれか１項に記載のカメラモジュール装置を備えた電子機器。
【請求項９】
カメラモジュールと、カメラモジュールが内部に挿入されるソケットとを備え、上記ソケットには、上記カメラモジュールの挿入側の端部から、上記ソケットの深さ方向に形成された後、カメラモジュールの回転方向に曲がって形成され、上記カメラモジュールを装着位置まで導くガイドが形成されており、カメラモジュールおよびソケットを相対的に回転させることによって、カメラモジュールがソケットに装着されるカメラモジュール装置に用いるためのカメラモジュールであって、
外側面に形成された上記ソケットのガイドに沿って移動する少なくとも１つの突起部、および、突起部がガイドの終端部に達したときにソケットに形成された端子と接触する端子を備えることを特徴とするカメラモジュール。
【請求項１０】
カメラモジュールと、カメラモジュールが内部に挿入されるソケットとを備え、カメラモジュールは、外側面に少なくとも１つの突起部を備え、カメラモジュールおよびソケットを相対的に回転させることによって、カメラモジュールがソケットに装着されるカメラモジュール装置に用いるためのソケットであって、
上記突起部の移動経路となり、上記カメラモジュールを装着位置まで導くガイドが形成されており、
上記ガイドは、上記カメラモジュールの挿入側の端部から、上記ソケットの深さ方向に形成された後、カメラモジュールの回転方向に曲がって形成されており、
少なくとも上記突起部がガイドの終端部に達したときに、カメラモジュールおよびソケットのそれぞれに形成された端子が、互いに接触するようになっていることを特徴とするソケット。
【発明の詳細な説明】
【技術分野】
【０００１】
本発明は、カメラモジュールを簡単に着脱（挿抜）することのできるカメラモジュール装置、カメラモジュール装置を備えた電子機器、カメラモジュール装置用のカメラモジュールおよびソケットに関するものである。
【背景技術】
【０００２】
カメラ付携帯電話等の電子機器（携帯用端末）は、カメラモジュール（固体撮像装置）を備えている。図８は、カメラモジュールの断面図である。図８のように、カメラモジュール２００は、配線基板２０１上に、半導体イメージセンサからなる固体撮像素子２０２と、固体撮像素子２０２から出力される画像データを処理する機能を持ったＤＳＰ２０３と、レンズホルダ２０４とが実装されている。また、レンズホルダ２０４は、内部に固体撮像素子２０２を収容すると共に、レンズユニット２０５を保持している。レンズユニット２０５は、撮像用のレンズ２０６と、レンズ２０６を保持するレンズバレル２０７とから構成される。
【０００３】
カメラモジュール２００は、配線基板２０１の裏面に端子（図示せず）を有している。このため、電子機器の基板上に実装される他の部品と同じように、カメラモジュール２００も電子機器の基板に直接実装すればよい。例えば、リフローにより、電子機器の基板上にカメラモジュール２００を実装すればよい。
【０００４】
しかし、カメラモジュール２００は、レンズ２０６等の光学部品を搭載していると共に、基板上への位置合わせ精度が非常に重要になる。このため、カメラモジュール２００を、高温にさらすことはできない。つまり、カメラモジュール２００は、リフローによる実装に適さない。
【０００５】
そこで、特許文献１には、カメラモジュールを電子機器の基板に実装するためのコネクタ（ソケット）を備えたカメラモジュール装置が開示されている。図９は、特許文献１のカメラモジュール装置の斜視図である。
【０００６】
図９のように、カメラモジュール３００では、カメラモジュール３１１の係合凸部３２６と、コネクタ３１２の係合凹部３２５とを対応させて、コネクタ３１２の上側から中空部３１９内にカメラモジュール３１１を落とし込むようにして組み込む。その組み込み途中では、基板３１５の下面がバネフック３１８に当接する。
【０００７】
しかしながら、そのままカメラモジュール３１１を押し込んで行くと、バネフック３１８は弾性変形されて外側に逃がされ、カメラモジュール３１１の押し込みを許容する。また、基板３１５の下面が中空部３１９内の底部３２２ａに当接し、接触パッド３２１，３２１…と、コンタクトピン３２４，３２４…とが当接された状態になる所定位置まで、カメラモジュール３１１が中空部３１９内に組み込まれる。これにより、バネフック３１８が自身の弾性力で係合部３１７上に自己復帰され、バネフック３１８の先端３１８ａが係合部３１７上、すなわち基板３１５の上面に直に係合される。この係合により、カメラモジュール３１１の抜け止めが行われ、カメラモジュール３１１がコネクタ３１２にロックされ、組み込みが完了する。
【０００８】
このとき組み込み完了状態では、コネクタ３１２の係合凹部３２５は一側壁３２７の最上部に設けられ、基板３１５の厚さより深く形成されている。このため、カメラモジュール３１１の係合凸部３２６とコネクタ３１２の係合凹部２５との係合がされ、誤嵌合防止も成される。
【０００９】
このようなコネクタ（ソケット）３１２を用いると、コネクタ３１２を予めリフローにより、電子機器の基板に実装した後、カメラモジュール３１１を実装することができる。つまり、カメラモジュール３１１を、リフローの高温条件下にさらすことなく、電子機器の基板に実装することができる。また、電子機器への実装後に、カメラモジュール３１１の交換が必要になったとしても、カメラモジュール３１１を基板に直接実装した場合に比べると、交換が容易である。
【特許文献１】特開２００６−１００１８９号公報（２００６年４月１３日公開）
【発明の開示】
【発明が解決しようとする課題】
【００１０】
しかしながら、特許文献１のカメラモジュール装置は、カメラモジュールを簡単に挿抜（着脱）できないという問題がある。
【００１１】
具体的には、図９のカメラモジュール装置３１０では、カメラモジュール３１１がコネクタ３１２に組み込まれた状態で、バネフック３１８の先端３１８ａが、基板３１５上の係合部２１７に係合される。そして、この係合によって、カメラモジュール３１１の抜け止めが行われている。
【００１２】
しかし、一旦、コネクタ３１２に組み込んだカメラモジュール３１１を、コネクタ３１２から取り外すには、専用の治具が必須になる。具体的には、係合凹部３２５の上方から、例えばピンを挿入し、バネフック３１８を係合部３１７上の外側に逃がした状態で、カメラモジュール３１１を上側に引き抜き、取り外す必要がある。従って、カメラモジュール３１１を簡単に挿抜できるとはいえない。
【００１３】
また、取り外しの際、カメラモジュール３１１を無理に引き抜くと、コネクタ３１２が破損しやすい。特に、カメラモジュール３１１をソケット３１２に固定するためのバネフック３１８の先端３１８ａが破損しやすい。
【００１４】
さらに、コネクタ３１２が電子機器の基板に実装された後、カメラモジュール３１１の取り外しが必要になったときに、バネフック３１８が破損すると、コネクタ３１２自体を交換することになる。しかし、リフローにより、電子機器の基板に半田接合されたコネクタ３１２を交換するのは、非常に煩雑である。
【００１５】
一方、カメラモジュール３１１の製造時には、製品テストにより、良否を判定する。この判定は、短時間に多数のカメラモジュール３１１をテストすることが要求される。このため、このような製品テストに、カメラモジュール３１１を挿抜しにくいコネクタ３１２を適用することもできない。
【００１６】
そこで、本発明は、上記従来の問題点に鑑みてなされたものであり、その目的は、カメラモジュールを簡単に着脱（挿抜）することのできるカメラモジュール装置、カメラモジュール装置を備えた電子機器、カメラモジュール装置に用いられるカメラモジュールおよびソケットを提供することにある。
【課題を解決するための手段】
【００１７】
本発明のカメラモジュール装置は、上記の課題を解決するために、カメラモジュールと、カメラモジュールが内部に挿入されるソケットとを備え、カメラモジュールおよびソケットを相対的に回転させることによって、カメラモジュールがソケットに装着されるカメラモジュール装置であって、
上記カメラモジュールは、外側面に少なくとも１つの突起部を備え、
上記ソケットには、上記突起部の移動経路となり、上記カメラモジュールを装着位置まで導くガイドが形成されており、
上記ガイドは、上記カメラモジュールの挿入側の端部から、上記ソケットの深さ方向に形成された後、カメラモジュールの回転方向に曲がって形成されており、
少なくとも上記突起部がガイドの終端部に達したときに、カメラモジュールおよびソケットのそれぞれに形成された端子が、互いに接触するようになっていることを特徴としている。
【００１８】
上記の発明によれば、ソケットに形成されたガイドが、カメラモジュールの挿入側端部から、深さ方向に形成された後、カメラモジュールの回転方向に曲がっている。これにより、カメラモジュールをソケットに挿入すると、突起部がガイドに沿って、ソケットの深さ方向に移動する。そして、突起部がガイドの曲部に達したときに、カメラモジュールおよびソケットを相対的に回転させると、突起部がガイドに沿って、カメラモジュールの回転方向に移動する。これにより、カメラモジュールがソケットに装着される。また、装着時には、カメラモジュールおよびソケットの各々に形成された端子が互いに接触する。このため、カメラモジュールとソケットとが互いに電気的に接続される。一方、装着時の経路と逆の経路を辿ることによって、カメラモジュールがソケットから脱離される。
【００１９】
このように、上記の発明によれば、カメラモジュールに形成された突起部を、ソケットのガイドに沿って移動させることにより、カメラモジュールの着脱が可能である。つまり、カメラモジュールの着脱に、専用の治具は不要である。従って、カメラモジュールを簡単に着脱できるカメラモジュール装置を提供することができる。
【００２０】
本発明のカメラモジュール装置では、上記突起部は、上記ガイドの終端部に係止されることが好ましい。
【００２１】
上記の発明によれば、突起部が、ガイドの終端部に係止されるため、カメラモジュールの装着状態を確実に維持することができる。
【００２２】
本発明のカメラモジュール装置では、上記ソケットに形成された端子が、弾性を有しており、上記ガイドの終端部では、カメラモジュールをソケットから離反させる方向に付勢する構成であってもよい。
【００２３】
上記の発明によれば、ソケットに形成された端子が弾性を有している。しかも、この端子は、突起部がガイドの終端部に達すると、カメラモジュールを持ち上げる方向（ソケットから離反させる方向）に付勢する。従って、カメラモジュールの装着状態を確実に維持することができる。また、カメラモジュールを取り外す際には、ソケットの端子が付勢する方向と逆方向の力を加えることによって、突起部の係止状態を簡単に解除することができる。従って、カメラモジュールの装着状態を維持しつつ、簡単にカメラモジュールを取り外すことのできるカメラモジュール装置を提供することができる。
【００２４】
本発明のカメラモジュール装置では、上記突起部がガイドの途中から終端部に達するまで、上記カメラモジュールおよびソケットのそれぞれに形成された端子が、互いに接触するようになっていてもよい。
【００２５】
上記の発明によれば、カメラモジュールおよびソケットの各々に形成された端子が、一旦互いに接触すると、突起部がガイドの終端部に達するまで、その接触状態が維持される。従って、ソケットに形成された端子の弾性を利用して、より一層簡単にカメラモジュールを着脱することができる。
【００２６】
本発明のカメラモジュール装置では、上記ガイドは、カメラモジュールの回転方向に形成された部分が、ソケットの底面方向に傾斜していてもよい。
【００２７】
上記の発明によれば、ガイドは、カメラモジュールの回転方向に延びた部分が、ソケットの底面方向に傾斜している。つまり、ソケットの深さ方向に対して垂直な方向に対して、下向きに傾斜している。これにより、突起部をガイドに沿って移動させるときに、カメラモジュールに形成された端子が、ソケットに形成された端子に、接触しやすくなる。従って、ソケットに形成された端子の弾性を利用して、より一層簡単にカメラモジュールを着脱することができる。
【００２８】
本発明のカメラモジュール装置では、上記突起部は、複数形成されており、かつ、カメラモジュールの外側面に非対称に形成されていてもよい。
【００２９】
上記の発明によれば、複数の突起部が、カメラモジュールの外側面に非対称に配置されている。これにより、カメラモジュールをソケットに装着する方向が、規定される。従って、カメラモジュールの誤装着を防止することができる。なお、突起部が、１つの場合であっても、同様に、カメラモジュールの誤装着を防止することができる。
【００３０】
本発明のカメラモジュール装置では、上記突起部は、複数形成されており、かつ、カメラモジュールの外側面の同じ高さに形成されていてもよい。
【００３１】
上記の発明によれば、複数の突起部が、カメラモジュールの外側面の同じ高さに形成されている。これにより、カメラモジュールを安定して装着することができる。従って、装着時、カメラモジュールが傾くのを防ぐことができる。
【００３２】
本発明の電子機器は、上記の課題を解決するために、前記いずれかのカメラモジュール装置を備えることを特徴としている。従って、カメラモジュールを簡単に着脱できる電子機器を提供することができる。
【００３３】
本発明のカメラモジュールは、上記の課題を解決するために、カメラモジュールと、カメラモジュールが内部に挿入されるソケットとを備え、上記ソケットには、上記カメラモジュールの挿入側の端部から、上記ソケットの深さ方向に形成された後、カメラモジュールの回転方向に曲がって形成され、上記カメラモジュールを装着位置まで導くガイドが形成されており、カメラモジュールおよびソケットを相対的に回転させることによって、カメラモジュールがソケットに装着されるカメラモジュール装置に用いるためのカメラモジュールであって、
外側面に形成された上記ソケットのガイドに沿って移動する少なくとも１つの突起部、および、突起部がガイドの終端部に達したときにソケットに形成された端子と接触する端子を備えることを特徴としている。
【００３４】
従って、カメラモジュールを簡単に着脱できるカメラモジュール装置に適したカメラモジュールを提供することができる。
【００３５】
本発明のソケットは、上記の課題を解決するために、カメラモジュールと、カメラモジュールが内部に挿入されるソケットとを備え、カメラモジュールは、外側面に少なくとも１つの突起部を備え、カメラモジュールおよびソケットを相対的に回転させることによって、カメラモジュールがソケットに装着されるカメラモジュール装置に用いるためのソケットであって、
上記突起部の移動経路となり、上記カメラモジュールを装着位置まで導くガイドが形成されており、
上記ガイドは、上記カメラモジュールの挿入側の端部から、上記ソケットの深さ方向に形成された後、カメラモジュールの回転方向に曲がって形成されており、
少なくとも上記突起部がガイドの終端部に達したときに、カメラモジュールおよびソケットのそれぞれに形成された端子が、互いに接触するようになっていることを特徴としている。
【００３６】
従って、カメラモジュールを簡単に着脱できるカメラモジュール装置に適したソケットを提供することができる。
【発明の効果】
【００３７】
本発明のカメラモジュール装置は、以上のように、上記ソケットには、上記突起部の移動経路となり、上記カメラモジュールを装着位置まで導くガイドが形成されており、上記ガイドは、上記カメラモジュールの挿入側の端部から、上記ソケットの深さ方向に形成された後、カメラモジュールの回転方向に曲がって形成されており、カメラモジュールに形成された突起部が、ソケットに形成されたガイドの終端部に達したときに、カメラモジュールおよびソケットのそれぞれに形成された端子が、互いに接触するようになっている構成である。それゆえ、カメラモジュールを簡単に着脱できるカメラモジュール装置を提供することができるという効果を奏する。
【発明を実施するための最良の形態】
【００３８】
以下、本発明の実施の形態について、図１〜図７に基づいて説明する。図１は、本実施形態のカメラモジュール装置１００の断面図である。
【００３９】
図１のように、カメラモジュール装置１００は、カメラモジュール１と、カメラモジュール１が装着されるソケット２とから構成されている。カメラモジュール１およびソケット２は、いずれも円筒状である。カメラモジュール１の外径は、ソケット２の内径よりも小さい。これにより、カメラモジュール１がソケット２内に装着可能となる。
【００４０】
カメラモジュール１の外側面には、突起部１１が形成されている。一方、ソケット２の側面部には、突起部１１の移動経路となるガイド（スリット）２１が形成されている。カメラモジュール装置１００は、ガイド２１に沿って突起部１１を移動させることによって、カメラモジュール１のソケット２への装着、および、ソケット２からの取り外しが可能となっている。カメラモジュール１の挿抜については後述する。
【００４１】
以下、カメラモジュール１およびソケット２について、詳細に説明する。図２は、カメラモジュール１の断面図である。図３は、カメラモジュール１の底面図（下面図）である。
【００４２】
図２のように、カメラモジュール１は、配線基板１２上に形成された固体撮像素子１３、透光性部材１７、および、レンズ１４を組み込んだレンズバレル１５が、底面側からこの順に、光軸方向に配置された構成である。これらの部材は、レンズホルダ１６の内部に設けられている。
【００４３】
配線基板１２は、固体撮像素子１３の電気信号を取り出すものであり、図示しないパターニングされた配線を有する基板である。配線基板１２は、この配線によって、配線基板１２の中央部に配置された固体撮像素子１３と、電気的に接続される。この配線と、固体撮像素子１３とは、ボンディングワイヤにより接続されている。これにより、互いに電気信号の送受が可能となっている。配線基板１２は、例えば、プリント基板，ガラスエポキシ基板、またはセラミック基板などである。なお、配線基板１２は、外部装置と電気的に接続することが可能となっている。
【００４４】
固体撮像素子１３は、レンズ１４から入射された入射光を光電変換するセンサーデバイスである。固体撮像素子１３の表面（上面）には、複数の画素がマトリクス状に配置された受光面（図示せず）が形成されている。そして、受光面に結像された光学像を電気信号に変換して、アナログの画像信号として出力する。固体撮像素子１３は、例えば、ＣＣＤ（charge-coupled device）イメージセンサ、ＣＭＯＳ（complementary metal-oxide semiconductor）イメージセンサ、ＶＭＩＳイメージセンサ（Threshold Voltage Modulation Image Sensor）である。
【００４５】
固体撮像素子１３は、配線基板１２上にダイボンドした後、センサ端子を金線等でワイヤボンドすることにより、配線基板１２上に実装されている。
【００４６】
なお、配線基板１２上には、カメラモジュール１を駆動するための各種電子部品（図示せず）が搭載されていてもよい。例えば、固体撮像素子１３により変換された電気信号を増幅処理し、その電気信号をアナログ信号として出力する増幅回路部（アナログ信号回路部）、そのアナログ信号をデジタル信号に変換するアナログ／デジタル変換処理回路部、プログラムに従って各種演算処理を行うＣＰＵ，そのプログラムを格納するＲＯＭ，各処理過程のデータ等を格納するＲＡＭなどの電子部品を備え、これらによって、カメラモジュール１全体を制御してもよい。
【００４７】
レンズ１４は、被写体像を形成する撮影光学系である。レンズ１４は、被写体からの光を、固体撮像素子１３に結像するための光学系である。カメラモジュール装置１００では、レンズ１４を保持したレンズバレル１５が、レンズホルダ１６の内部に保持される。
【００４８】
レンズホルダ１６は、接着剤（図示せず）により、配線基板１２上に固着されており、上述の各部材を内部に収容する。本実施形態では、レンズホルダ１６は、樹脂製の筒状部材である。
【００４９】
レンズホルダ１６の外側面には、突起部１１が形成されている。本実施形態では、図２のように、２つの突起部１１が、同じ高さに形成されている。
【００５０】
レンズホルダ１６と突起部１１とは、同じ材料から構成されていてもよいし、異なる材料から構成されていてもよい。例えば、突起部１１およびレンズホルダ１６が、いずれも樹脂から構成されている場合（突起部１１がレンズホルダ１６の一部である場合）、例えば、金型成型により、突起部１１とレンズホルダ１６とを同時に形成できる。
【００５１】
カメラモジュール装置１００では、レンズバレル１５とレンズホルダ１６との接触部には、ネジ切りが施されている。具体的には、レンズバレル１５の外側面と、レンズホルダ１６の内側面には、互いに噛合うように、ねじ切りが施されている。これにより、レンズバレル１５をねじ切り方向に回転させると、レンズ１４の位置が上下動する。従って、ピント調整が可能となる。なお、レンズ１４の移動方式は、ねじ機構に限定されるものではなく、電磁石を用いた電動方式であってもよい。
【００５２】
透光性部材１７は、固体撮像素子１３とレンズ１４との間に配置されている。透光性部材１７は、少なくとも固体撮像素子１３の受光部を覆うようになっている。透光性部材１７は、レンズホルダ１６の内側面から光軸に対して垂直方向に延在する台座１８上に設けられている。透光性部材１７は、透光性を有するガラスや樹脂などの透光性部材から構成されている。透光性部材１７は、例えば、ＬＩＤ台に設けられたＬＩＤガラスある。
【００５３】
なお、透光性部材１７には、固体撮像素子１３に入射する赤外線をカットする赤外線カットフィルタ等の光学フィルタが形成されていてもよい。これにより、透光性部材１７が、外部からの赤外線を遮断する機能を備えるようになる。
【００５４】
一方、図３のように、カメラモジュール１は、配線基板１２の裏面（固体撮像素子１３実装面と逆の面）には、モジュール端子１９が放射状に配置されている。モジュール端子１９は、ソケット２と電気的な接続を行うためのものである。
【００５５】
カメラモジュール装置１００は、外部の光を、レンズ１４を通して固体撮像素子１３の受光領域に結像することによって、固体撮像素子１３から画像データを出力する。出力された画像データは、図示しないＤＳＰ（digital signal processor）により、ユーザが必要な任意の画像データに加工される。例えば、ＤＳＰは、固体撮像素子１３から出力された未加工の画像データを、色調補正などの処理を施す。そして、加工後の画像データを、カメラモジュール装置１００の外部に出力する。なお、ＤＳＰは、レンズホルダ１６内に内蔵されていてもよいし、固体撮像素子１３とＤＳＰとが１チップで構成されていてもよい。
【００５６】
一方、図４は、ソケット２の断面図である。図５は、ソケット２の底面図（下面図）である。図４のように、ソケット２は、円筒状であり、内部にカメラモジュール１が着脱可能に挿入される。ソケット２の側面部には、カメラモジュール１の突起部１１の移動経路となるガイド（スリット）２１が形成されている。
【００５７】
ソケット２の底部には、ソケット端子２２が放射状に形成されている。ソケット端子２２は、各モジュール端子１９に対応するように設けられており、少なくともカメラモジュール１が装着された際（突起部１１がガイド２１の終端部に達した際）に、モジュール端子１９とソケット端子２２とが互いに接触する。本実施形態では、ソケット端子２２が、弾性を有しており、カメラモジュール１を離間する方向の力（上向きの力）が作用する。このため、ソケット２にカメラモジュール１が装着されると、ソケット端子２２がカメラモジュール１を持ち上げるようになっている。
【００５８】
ここで、カメラモジュール装置１００では、ソケット２に形成されたガイド２１に沿って、カメラモジュール１の突起部１１をスライドさせることによって、カメラモジュール１の着脱（挿抜）を行う。すなわち、カメラモジュール１をソケット２に挿入した後、相対的に回転させることによって、カメラモジュール１がソケット２に装着される。一方、装着時と逆方向に回転させれば、ソケット２に装着されたカメラモジュール１を抜き取る（取り外す）ことができる。
【００５９】
具体的には、図６の（ａ）〜（ｃ）は、カメラモジュール１のソケット２への装着状態を段階的に示す側面図（図中左）および断面図（図中右）である。図６（ａ）のように、ガイド２１は、カメラモジュール１の挿入側の端部から、ソケット２の深さ方向に形成された後、カメラモジュール１の回転方向に曲がって形成されている。これにより、カメラモジュール１をソケット２に挿入すると、まず、突起部１１がガイド２１に沿って、ソケット２の深さ方向に移動する。つまり、突起部１１が、ソケット２の底面に対して垂直方向、すなわち、光軸に対して平行な方向に、下方に移動する。このとき、ソケット端子２２と、カメラモジュール１の底面に形成されたモジュール端子（図示せず）とは、接触していない。
【００６０】
次に、図６の（ｂ）のように、突起部１１がガイド２１に沿ってさらに移動し、突起部１１が、ガイド２１の曲部（ガイド２１の方向転換部）に達すると、ソケット端子２２と、モジュール端子（図示せず）とが接触する。この状態では、カメラモジュール１は固定されない。本実施形態では、ソケット端子２２は、弾性を有している。このため、ソケット端子２２と、モジュール端子（図示せず）とが接触すると、ソケット端子２２は、カメラモジュール１を離反する方向（持ち上げる方向）に付勢する。
【００６１】
次に、図６の（ｃ）のように、カメラモジュール１を時計回りに回転させる。これにより、突起部１１がガイド２１に沿って、カメラモジュールの回転方向に移動する。これにより、突起部１１がガイド２１の終端部２１ａに達すると、カメラモジュール１がソケット２に装着される。また、装着時には、モジュール端子と、ソケット端子２２とが互いに接触している。このため、カメラモジュール１とソケット２とが互いに電気的に接続される。
【００６２】
一方、カメラモジュール１を取り外すには、このような装着時の経路と逆の経路を辿ればよい。これにより、カメラモジュール１がソケット２から脱離される。
【００６３】
このようなカメラモジュール装置１００を携帯電話機等の電子機器に搭載する場合、カメラモジュール装置１００の配置精度は重要である。位置ずれが生じると、固体撮像素子１３の取り付け角度も変わってしまう。その結果、正確な画像を得られなくなる。カメラモジュール装置１００を電子機器に搭載する場合、まず、リフロー等により、ソケット２を電子機器に実装する。次に、ソケット２にカメラモジュール１を搭載する。そして、突起部１１が、ガイド２１の終端部２１ａに到達したときに、カメラモジュール１が電子機器に対して位置合わせされる。
【００６４】
以上のように、本実施形態のカメラモジュール装置１００では、カメラモジュール１に形成された突起部１１を、ソケット２のガイド２１に沿って移動させることにより、カメラモジュール１の着脱が可能である。つまり、カメラモジュール１の着脱に、専用の治具は不要である。従って、カメラモジュール１を簡単に着脱することができる。
【００６５】
また、本実施形態では、ガイド２１の終端部２１ａは、ソケット２の上方に窪んでいる。また、終端部２１ａの窪みは、終端部２１ａの直前のガイド２１位置よりも高く形成されている。そして、この窪んだ終端部２１ａに、突起部１１が係止される。このため、カメラモジュール１の装着状態を確実に維持することができる。
【００６６】
また、本実施形態では、ソケット端子２２が、弾性を有しており、ガイド２１の終端部２１ａでは、カメラモジュール１をソケット２から離反させる方向に付勢する。つまり、ソケット端子２２は、突起部１１がガイド２１の終端部２１ａに達すると、カメラモジュール１を持ち上げる方向に付勢する。このため、突起部１１が終端部２１ａの窪みに押し上げられる。つまり、突起部１１が終端部２１ａに確実に係止される。従って、カメラモジュール１の装着状態を確実に維持することができる。また、カメラモジュール１を取り外す際には、ソケット端子２２が付勢する方向と逆方向（つまり、下方向）の力を加えることによって、突起部１１の係止状態を簡単に解除することができる。従って、カメラモジュール１の装着状態を維持しつつ、簡単にカメラモジュール１を取り外すことができる。
【００６７】
また、本実施形態では、突起部１１がガイド２１の途中から終端部２１ａに達するまで、モジュール端子とソケット端子２２とが、互いに接触するようになっている。つまり、突起部１１がガイド２１を移動中に、モジュール端子とソケット端子２２とが一旦互いに接触すると、突起部１１がガイド２１の終端部２１ａに達するまで、その接触状態が維持される。従って、ソケット端子２２の弾性を利用して、より一層簡単にカメラモジュール１を着脱することができる。
【００６８】
また、本実施形態では、ガイド２１は、カメラモジュール１の回転方向に形成された部分が、ソケット２の底面方向（下方向）に傾斜している。つまり、ガイド２１は、ソケットの深さ方向に対して垂直な方向に対して、下向きに傾斜している。これにより、突起部１１をガイド２１に沿って移動させるときに、カメラモジュール１に形成されたモジュール端子が、ソケット２に形成されたソケット端子２２に、接触しやすくなる。従って、ソケット２に形成された端子２２の弾性を利用して、より一層簡単にカメラモジュール１を着脱することができる。
【００６９】
なお、ガイド２１の形状は、カメラモジュール１の挿入側の端部から、ソケット２の深さ方向に形成された後、カメラモジュール１の回転方向に曲がっていれば特に限定されるものではない。
【００７０】
また、本実施形態では、複数（２個）の突起部１１が、カメラモジュール１の外側面の同じ高さに形成されている。しかも、２つの突起部１１は、レンズホルダ１６に均等に配置されており、２つの突起部１１を結ぶ直線は、カメラモジュール１（レンズホルダ１６）の中心軸を通っている。言い換えれば、突起部１１は、中心軸に対して、対称に配置されている。つまり、２つの突起部１１を結ぶと、光軸に対して垂直方向の断面に形成される円の直径が形成される。これにより、カメラモジュール１を安定して装着することができる。従って、装着時に、カメラモジュール１が傾くのを防ぐことができる。
【００７１】
なお、突起部１１は、少なくとも１つ形成されていればよく、その数は限定されるものではない。突起部１１が多いほど、カメラモジュール１を安定して着脱することができる。一方、突起部１１が少ないほど、カメラモジュール１およびソケット２の形状を簡素化することができる。
【００７２】
また、突起部１１は、カメラモジュール１（レンズホルダ１６）の外側面に形成されていれば、特に限定されるものではない。また、複数の突起部１１を形成する場合、突起部１１の配置は、任意に設定することができる。つまり、カメラモジュール１の外側面上に、均等にまたは不均等に突起部１１を形成することができる。
【００７３】
例えば、図７は、別の突起部１１を備えたカメラモジュール１の断面図である。図７の構成では、２つの突起部１１が、異なる高さに形成されている。つまり、カメラモジュール１の外側面に非対称に形成されている。これにより、カメラモジュール１をソケット２に装着する方向が、規定される。すなわち、突起部１１とガイド２１との配置状態が一致したときにのみ、突起部１１をガイド２１に挿入することができる。従って、ソケット２へのカメラモジュール１の誤装着を防止することができる。なお、突起部１１が、１つの場合であっても、同様に、カメラモジュール１の誤装着を防止することができる。
【００７４】
なお、本実施形態のカメラモジュール装置１００における、カメラモジュール１の着脱は、カムロック機構によって実現されているともいえる。すなわち、カメラモジュール装置１００には、カムロック機構を実現するための突起部１１がカメラモジュール１の側面に構成されている一方、ソケット２の側面部には、カメラモジュール１のカムロック用の突起部１１をスライド装着するためのガイド２１が設けられているともいえる。
【００７５】
本発明は、以下のように表現することもできる。
【００７６】
本発明は、カメラモジュールを安全に挿抜（着脱）可能なカメラモジュール装置の実装と、実装用のカメラモジュールおよびソケット、実装ソケットまたはカメラモジュール装置を内蔵した携帯機器を提供するものであるともいえる。
【００７７】
すなわち、本発明のカメラモジュール装置は、円筒状の形状を有し、その側面にソケット取り付けのための突起を有するカメラモジュールと、上記カメラモジュールを挿抜可能なようにガイドを設けたソケットとを備え、その両者はカムロック機構による継手で接続されている構成であるともいえる。また、実装用のソケットは、カメラモジュールに設けられた突起をガイド可能なような、スリット形状を持つことを特徴としている。カメラモジュールの突起部は、円筒部の直径方向に配置してもよい。
【００７８】
これにより、簡単に、より安全に挿抜可能なカメラモジュール装置を提供することができる。また、上記ソケットをカメラモジュールの検査装置に用いると、カメラモジュールの挿抜が容易となる。また、カメラモジュール装置を搭載した電子機器製品に、ソケットが実装されていると、カメラモジュールの交換が容易である。このため、品質問題発生時には、迅速な対応が可能となる。
【００７９】
なお、カメラモジュールの挿抜が容易となるため、携帯電話等の携帯機器に限らず、種々の電子機器に適用できる。例えば、本発明は、実装ソケットのみを配置し、カメラモジュールを付け替え可能とすることで、容量の異なるカメラモジュールを場合に応じて取り替える、または、観察したい場所に応じてカメラモジュールの配置を換える、頻繁に取替えが必要となる場合に適用できる。また、従来構造では実装が困難な、例えば内視鏡等への応用も考えられる。
【００８０】
本発明は上述した実施形態に限定されるものではなく、請求項に示した範囲で種々の変更が可能である。すなわち、請求項に示した範囲で適宜変更した技術的手段を組み合せて得られる実施形態についても本発明の技術的範囲に含まれる。
【産業上の利用可能性】
【００８１】
本発明は、カメラ付き携帯電話、ディジタルスチルカメラ、監視やドアホンなどのセキュリティ用カメラなど、カメラモジュールを備えた各種撮像装置に適用することができる。
【図面の簡単な説明】
【００８２】
【図１】本発明のカメラモジュール装置の斜視図である。
【図２】本発明のカメラモジュール装置に用いられるカメラモジュールの断面図である。
【図３】本発明のカメラモジュール装置に用いられるカメラモジュールの底面図である。
【図４】本発明のカメラモジュール装置に用いられるソケットの断面図である。
【図５】本発明のカメラモジュール装置に用いられるソケットの底面図である。
【図６】本発明におけるカメラモジュールのソケットへの装着状態を示す側面図および断面図である。
【図７】本発明のカメラモジュール装置に用いられる別のカメラモジュールの断面図である。
【図８】従来のカメラモジュールの断面図である。
【図９】特許文献１のカメラモジュール装置の斜視図である。
【符号の説明】
【００８３】
１    カメラモジュール
２    ソケット
１１    突起部
１２    配線基板
１３    固体撮像素子
１４    レンズ
１５    レンズバレル
１６    レンズホルダ
１９    モジュール端子（端子）
２１    ガイド
２１ａ  終端部
２２    ソケット端子（端子）
１００    カメラモジュール装置
【図１】
2010098449.tif 000003
【図２】
2010098449.tif 000004
【図３】
2010098449.tif 000005
【図４】
2010098449.tif 000006
【図５】
2010098449.tif 000007
【図６】
2010098449.tif 000008
【図７】
2010098449.tif 000009
【図８】
2010098449.tif 000010
【図９】
2010098449.tif 000011